(57)【特許請求の範囲】
【請求項１】
壁部と、その壁部の室内側において壁部に対向する窓との間に植栽緑化室を設け、
その植栽緑化室内に植栽を設けるとともに、その室内に太陽光を導入するための導光手段を設け、前記導光手段には太陽光の不足分を補うための補光手段を設け、
前記壁部の外側面に太陽電池パネルを設けて、前記太陽電池パネルで生成した電力を用いて前記補光手段を駆動し、前記窓を介して植栽を観賞することができるようにしたことを特徴とする建物。
【請求項２】
前記壁部を建物の外壁の外側に設けられた側壁により構成するとともに、前記窓を外壁に設けたことを特徴とする請求項１に記載の建物。
【請求項３】
前記側壁の内側面に植栽を形成するための緑化基盤を設けたことを特徴とする請求項２に記載の建物。
【請求項４】
前記太陽電池パネル及び前記緑化基盤を側壁に取り付けるための取付金具を共用したことを特徴とする請求項３に記載の建物。
【請求項５】
前記導光手段を屋外の太陽光を前記植栽緑化室内に導くための導光ダクトにより構成したことを特徴とする請求項１〜４のうちのいずれか一項に記載の建物。
【発明の詳細な説明】
【技術分野】
【０００１】
この発明は、ビルディング等の建物に関するものであって、特に壁部に室内側から観賞できる植栽を施した建物に関するものである。
【背景技術】
【０００２】
従来、この種の建物は、その建物の壁部の外側に植栽を施したものが通常である。例えば特許文献１〜特許文献５に記載の従来構成では以下のような構成が開示されている。
特許文献１に記載の従来構成では、建物の壁面の外側に所定間隔をおいて格子状の立面体が立設され、この立面体につる性植物を絡ませて登攀させることにより、建物の壁面が覆われている。特許文献２に記載の従来構成では、建物の壁面の外側に壁体が配置され、その壁体には培養土を収容する収容空間が形成されている。壁体の外面にはプランタが取り付けられ、そのプランタの背面開口部が壁体の外面開口部を介して収容空間に連通されている。そして、プランタに栽培された植物により、壁面が緑化されている。特許文献３に記載の従来構成では、建物の壁面の外側に、枠部材と緑化基盤とよりなる緑化ユニットが埋め込まれている。そして、この緑化ユニットの緑化基盤に植栽されることにより、壁面が緑化されている。
【０００３】
その外に、建物の内側に植栽を設けるようにした構成も存在する。例えば、特許文献４に記載の従来構成では、透光性を有する複数のガラスブロックを縦方向及び横方向に組み付け固定することにより、建物の壁体が形成されている。任意のガラスブロックの外面側または内面側には開口部が形成されるとともに、そのガラスブロック内には培養土が収容されている。そして、開口部から培養土に植栽されることにより、壁体の外面または内面が緑化されている。特許文献５に記載の従来構成では、建物の壁面の内側に縦型ケースが取り付けられ、その縦型ケースの内面中央には開口部が形成されている。開口部から建物の内側に露出するように、縦型ケース内には植物支持部材及び吸水性シート部材よりなる植栽部材が収容されている。そして、植栽部材の植物支持部材に植栽されることにより、壁面の内側が緑化されている。
【先行技術文献】
【特許文献】
【０００４】
【特許文献１】特開平９−１４４１２９号公報
【特許文献２】特開２００４−２４８５３３号公報
【特許文献３】特開２００７−３０６８４５号公報
【特許文献４】特開２００３−３０４７４９号公報
【特許文献５】実用新案登録第３１２９１７６号公報
【発明の概要】
【発明が解決しようとする課題】
【０００５】
ところが、これらの従来構成においては、次のような問題があった。
特許文献１〜特許文献３に記載の従来構成では、街の景観向上や、太陽光線の照射に伴う建物の温度上昇の抑制を主目的として、建物の壁面の外側に植栽が施されている。このため、植栽に供された植物は建物の外側から観賞できるが、建物の室内側から眺めて、観賞することはできない。
【０００６】
特許文献４に記載の従来構成では、建物の壁体が透光性を有する複数のガラス等のブロックを縦方向及び横方向に組み付け固定することによって形成されているため、建物の壁体として荷重や衝撃に対する強度を確保することが困難である。しかも、ブロックには植物の枝等を外部に延ばすための開口が必要で、さらにブロックの強度が低下させる。従って、この特許文献４の従来構成は、その公報中に建物の外壁に使用可能であると記載されているものの、実際には荷重を担持する部分に使用することが不可能で、ベランダ等の壁部として用いることができる程度である。従って、この特許文献４の構成は、室内緑化に寄与することには期待できない。特許文献５に記載の従来構成では、建物の壁面の内側に取り付けられた縦型ケースに、太陽光を取り込む方法が考慮されていない。このため、植物に適切な照明を与えなければ、縦型ケース内の植物を、長期間健康状態で生育させることが困難である。言い換えれば、この特許文献５の構成を採用した場合は、人工照明のための電力消費が不可欠であって、緑化のためにエネルギー消費が強いられることになる。
【０００７】
この発明は、このような従来の技術に存在する問題点に着目してなされたものである。その目的は、建物の室内側から植栽植物を楽しむことができるとともに、その植物を長期間にわたって生育させることができ、しかも省エネルギーを達成できる建物を提供することにある。
【課題を解決するための手段】
【０００８】
上記の目的を達成するために、請求項１に記載の発明においては、壁部と、その壁部の室内側において壁部に対向する窓との間に植栽緑化室を設け、その植栽緑化室内に植栽を設けるとともに、その室内に太陽光を導入するための導光手段を設け、前記導光手段には太陽光の不足分を補うための補光手段を設け、前記壁部の外側面に太陽電池パネルを設けて、前記太陽電池パネルで生成した電力を用いて前記補光手段を駆動し、前記窓を介して
植栽を観賞することができるようにしたことを特徴としている。
【０００９】
従って、この発明においては、建物の室内側から窓を介して、部屋内の植栽植物を楽しむことができるとともに、その植物から放散される香りやマイナスイオン、及び植物の蒸散に伴う冷気等を室内側から得ることができる。しかも、部屋内の植栽植物には導光手段を介して太陽光が導入されるため、その植物を長期間にわたって自然の状態で生育させることができる。また、建物の壁部を観賞空間として有効利用することできる。
【００１０】
なお、この発明において、建物とは、オフィスビルや学校ビル等の建物だけではなく、工場、競技場のバックヤード、地下鉄，地下街，トンネルの内部の構築物等、人間の居住あるいは通過の空間を形成する構造物全般を含むものとする。
【００１１】
請求項２に記載の発明においては、前記壁部を建物の外壁の外側に設けられた側壁により構成するとともに、前記窓を外壁に設けている。
請求項３に記載の発明においては、前記側壁の内側面に植栽を形成するための緑化基盤を設けている。
【００１３】
請求項４に記載の発明においては、前記太陽電池パネル及び前記緑化基盤を側壁に取り付けるための取付金具を共用している。
請求項５に記載の発明においては、前記導光手段を屋外の太陽光を前記植栽緑化室内に導くための導光ダクトにより構成している。
【発明の効果】
【００１４】
以上のように、この発明によれば、建物の室内側から植栽植物を楽しむことができるとともに、その植物を長期間にわたって順調に生育させることができ、しかも建物の壁部を観賞空間として利用できるという効果を発揮する。
【図面の簡単な説明】
【００１５】
【図１】第１実施形態の建物の概要を示す平面図。
【図２】図１の建物の斜視図。
【図３】植栽緑化室を示す図２の建物の要部拡大断面図。
【図４】側壁に対する緑化基盤と太陽電池との固定構造を拡大して示す部分断面図。
【図５】（ａ）は導光ガイドの正面図、（ｂ）は導光ダクト及び補光装置を拡大して示す部分断面図、（ｃ）は光導出溝３６ｓを示す導光ダクトの一部正面図、（ｄ）は同じく一部断面図。
【図６】植栽緑化室を示す建物の平断面図。
【図７】（ａ）〜（ｃ）は第２実施形態の建物の異なった態様を示す斜視図。
【図８】植栽緑化室を示す図７の建物の要部拡大断面図。
【図９】第３実施形態の建物を示す部分破断側面図。
【図１０】第４実施形態の建物を示す部分破断側面図。
【図１１】第５実施形態の緑化基盤を示す斜視図。
【図１２】第５実施形態の別の緑化基盤を示す斜視図。
【図１３】図１１の緑化基盤の異なった使用態様を示す斜視図。
【図１４】第６実施形態の建物の緑化基盤を示す斜視図。
【図１５】第７実施形態の建物の緑化基盤を示す斜視図。
【図１６】第８実施形態の建物の導光ダクト及び集光装置を示す部分断面図。
【図１７】（ａ）〜（ｉ）は導光ダクトの各種の変更例を示す正面図あるいは断面図。
【図１８】導光ダクトの別の変更例を示す断面図。
【図１９】（ａ）〜（ｄ）は導光ダクトのさらに別の変更例を示す断面図。
【図２０】（ａ）（ｂ）は導光ガイド関連の構成の変更例を示す断面図。
【図２１】（ａ）（ｂ）は導光ダクトの配置の変更例を示す側面図。
【図２２】（ａ）〜（ｅ）は導光ダクトの枝管の変更例を示す正面図あるいは側面図。
【図２３】緑化基盤の変更例を示す一部側面図。
【図２４】窓の変更例を示す正面図。
【発明を実施するための形態】
【００１６】
（第１実施形態）
以下に、この発明を具体化した建物の第１実施形態を、図１〜図６に従って説明する。
図１の建物２１は、道路２２の東側に面する位置に配置され、その建物２１の北側及び南側には別の建物２３が隣接状態で配置されている。この実施形態は前記建物２１において具体化される。建物２１の内部において北側及び南側の壁部には後述の緑化構造２４が施され、その緑化構造２４の植栽を建物２１の室内側から見ることができるように構成されている。
【００１７】
そこで、前記緑化構造２４について詳細に説明する。図３に示すように、建物２１の外壁２１ａの外側には、壁部としての側壁２６が外壁２１ａに対して外側に所定間隔をおいて配置されている。建物２１の屋上部２１ｂ対応するように、最上階の側壁２６の上端と外壁２１ａの上端との間には天井壁２６ａが設けられるとともに、各階の床部２１ｃと対応するように、側壁２６と外壁２１ａとの間には底壁２６ｂが設けられている。そして、建物２１の外壁２１ａと側壁２６との間において、天井壁２６ａと底壁２６ｂとの間及び各底壁２６ｂ間には各階ごとに植栽緑化室２７が形成されている。各階の植栽緑化室２７に臨むように、建物２１の外壁２１ａには開閉可能な窓２８が設けられている。
【００１８】
図３及び図４に示すように、前記側壁２６の内側面には緑化基盤２９が補強板３０Ａを介して、複数の固定金具としての貫通ボルト３１、各一対の座金３２Ａ及び各一対のナット３３Ａにより固定されている。植栽緑化室２７内において緑化基盤２９には、植物３４がプランタ３５を用いて栽培されている。そして、建物２１の室内側から外壁２１ａの窓２８を通して、緑化基盤２９上の植栽を構成する植物３４を鑑賞することができるようになっている。
【００１９】
図３に示すように、前記植栽緑化室２７内を貫通するように建物２１には、導光手段としての導光ダクト３６が延長されている。この導光ダクト３６は図６に示すように、窓２８の部分を避けて配置され、室内側から目立たないように配慮されている。なお、逆に、導光ダクト３６を植栽緑化室２７内の加飾材として利用することも可能である。導光ダクト３６の上端部には、前記天井壁２６ａの上方に突出して開口する光導入口３６ａが形成され、この光導入口３６ａから導光ダクト３６内に採光できるようになっている。図２及び図３に示すように、光導入口３６ａを覆うように、天井壁２６ａ上には、光導入口３６ａ内に対する雨水，落ち葉，塵埃等の侵入を防止するための透明カバー３７が設けられている。
【００２０】
なお、図３においては、導光ダクト３６は１本しか描かれていないが、図６に示すように、複数設けられる。
図３及び図５（ａ）〜（ｄ）に示すように、前記導光ダクト３６には植栽植物３４と対向するように、複数の光導出口３６ｂ及び光導出溝３６ｓが形成されている。導光ダクト３６の光導入口３６ａから光導出口３６ｂ及び光導出溝３６ｓに至る内面はすべて光反射面となっている。導光ダクト３６の一部には半球状の導光ガイド３６ｃが形成され、その導光ガイド３６ｃの先端に前記導出口３６ｂを構成し、開口側ほど広がる導光筒３６ｄが形成されている。前記光導出溝３６ｓは縦溝状をなし、図５（ｃ）に示すように、その開口幅が下部側ほど広がっている。そして、光導入口３６ａから導光ダクト３６内に導入された太陽光が、導光ダクト３６の内面で反射されて光導出口３６ｂ及び光導出溝３６ｓから植栽緑化室２７内の植物３４及びその周囲に向けて照射される。また、図３においては、導光ダクト３６は複数階を貫通して設けられているが、このように複数階を貫通したとしても、１本の導光ダクト３６の光導出口３６ｂや光導出溝３６ｓは、１つの階の植栽緑化室２７に対応して設けられることが好ましい。
【００２１】
図３及び図５（ａ）に示すように、前記導光ダクト３６の各光導出口３６ｂと対向する位置には補光口３６ｆが形成され、それらの補光口３６ｆの外側には補光手段としての補光装置３９が配置されている。この補光装置３９は、補光口３６ｆの外側に取り付けられたケーシング４０と、そのケーシング４０にパッキン４１を介して貫通支持されたＬＥＤ（発光ダイオード）よりなる光源４２と、補光口３６ｆと光源４２との間に配置された吸熱フィルタ４３とより構成されている。この吸熱フィルタ４３は導光ダクト３６内の熱（主として太陽熱）により前記光源４２が劣化することを防止するためのものである。そして、雨天時等において太陽光が不足する際に、光源４２の点灯により太陽光の不足分が補われるようになっている。従って、前記光源４２は植物の生育に適した波長域の光を照射するものが用いられる。
【００２２】
図３に示すように、前記各植栽緑化室２７内の上部には、緑化基盤２９上の植栽植物３４に対して灌水を行うための灌水装置４７が設けられている。各植栽緑化室２７内の下部には、灌水装置４７からの水や、緑化基盤２９及び植栽植物３４から滴下する水を集めて植栽緑化室２７外に排出するための排水装置４８が設けられている。各植栽緑化室２７内の上部には、植栽緑化室２７内の空気を入れ替えるための換気装置４９が設けられている。図３及び図６に示すように、各植栽緑化室２７の底部には多数の開口（図示しない）を備えたグレーチングよりなる通路５０が敷設されている。
【００２３】
図２〜図４に示すように、前記側壁２６の外側面には複数枚の太陽電池パネル４４が補強板３０Ｂを介して、複数の固定金具としての貫通ボルト３１、各一対の座金３２Ｂ及び各一対のナット３３Ｂにより固定されている。この場合、固定金具としての貫通ボルト３１は、側壁２６の外側面に対する太陽電池パネル４４の固定と、側壁２６の内側面に対する緑化基盤２９の固定とに共用されている。この太陽電池パネル４４は、隣接される他の建物２３に邪魔されることなく太陽光が到達する側壁２６上に設けられる。建物２１の屋上部２１ｂには、複数枚の太陽電池パネル４５が支持具４６を介して傾斜状態に配置されている。そして、前記側壁２６上の太陽電池パネル４４及び屋上部２１ｂの太陽電池パネル４５によって発電された電力は、図示しない蓄電池に蓄えられる。その蓄えられた電力は、商用電源とともに建物２１の各種の電気機器の電源として用いられるとともに、前記補光装置３９の光源４２及び換気装置４９モータ（図示しない）等の電源として用いられる。
【００２４】
以上のように、この建物２１においては、外壁２１ａの外側に設けられた植栽緑化室２７内において、側壁２６の内側面に固定された緑化基盤２９上のプランタ３５に植物３４が植栽されている。そして、太陽光が導光ダクト３６を介して植栽緑化室２７内に導入され、緑化基盤２９上の植栽植物３４に向けて照射される。また、雨天時等において太陽光が不足する場合には、補光装置３９の光源４２が太陽電池パネル４４，４５によって発電されて蓄えられた電力を電源として点灯されて、太陽光の不足分が補われる。さらに、植栽植物３４には灌水装置４７から灌水されるとともに、必要に応じて換気装置４９の作動により植栽緑化室２７内の空気が入れ替えられる。従って、植物３４は屋外から隔てられた植栽緑化室２７内で植栽されていても、太陽光，水及び空気が供給され、生育不良に陥ることなく自然状態と同様に順調に生育する。また、換気装置４９により、窓２８の露結が防止され、露により曇ることを防止できる。
【００２５】
従って、建物２１の居住空間と植栽緑化室２７との間の窓２８を通して室内側から、植栽緑化室２７内の植栽植物３４を観賞することができる。また、窓２８を開放した場合には、植栽緑化室２７内の植栽植物３４から放散される香り，フィトンチッドやマイナスイオン、あるいは植栽植物３４の水蒸気蒸散に伴う涼気等が室内側に進入するため、心理的及び生理的なリラックス効果を得ることができ、しかも、夏期には冷房を補助することができる。
【００２６】
従って、この実施形態によれば、以下のような効果を得ることができる。
（１）  この建物２１においては、建物２１の外壁２１ａの外側に壁部としての側壁２６が間隔をおいて配置され、その側壁２６に対向するように建物２１の外壁２１ａに窓２８が設けられている。そして、側壁２６と窓２８との間に形成された植栽緑化室２７内に植栽が設けられている。このため、建物２１の室内側から窓２８を介して、植栽緑化室２７内の植栽植物３４を観賞することができるとともに、その植物３４から放散される香り，フィトンチッドやマイナスイオンを室内側に取り込んでリラックス効果を得ることができる。また、同様に植物３４の蒸散に伴う涼気を室内側に取り込むことができ、このため、夏期において冷房を補助することができて、建物２１の冷房負荷を低減でき、建物２１の省エネルギーを達成できる。
【００２７】
（２）  この建物２１においては、植栽緑化室２７内に導光ダクト３６の光導出口３６ｂや光導出溝３６ｓを介して屋外の太陽光を植栽緑化室２７内に導入することができて、植栽緑化室２７内の植栽植物３４を適切に生育させることができる。このため、植物３４のための人工光が不要となり、省エネルギーを達成できるとともに、人工光のための照明設備や配線が不要になる。
【００２８】
（３）  導光ダクト３６内に導入された光は、所要位置に設けられた光導出口３６ｂや光導出溝３６ｓから照射されるため、その光を植物３４等の必要箇所に向かって有効に供給することができる。しかも、光導出溝３６ｓは、下部側、すなわち採光位置から離れる側ほど開口幅が広くなっているため、光導出溝３６ｓの全長にわたって均等なエネルギーの光を導出できる。
【００２９】
（４）  この建物２１においては、側壁２６の内側面に植栽を設けることにより、建物２１の外壁２１ａが隣の建物２３に接近したり、北向きであったりして、その外壁２１ａを有効に利用して快適な緑化空間を得ることができる。すなわち、建物２１の外壁２１ａが隣の建物２３に接近したり、北向きであったりする場合は、窓から採光ができないために、居住者に閉塞感が与えられる。この実施形態においては、そのような外壁を利用して緑化できるため、居住者に対して開放感と緑による快適さを与えることができる。
【００３０】
（５）  この建物２１においては、導光ダクト３６に太陽電池パネル４４，４５を電源とする補光装置３９が設けられている。このため、雨天時等において太陽光が不足する際には、その太陽光の不足分を補光装置３９からの光により補うことができる。そして、太陽電池パネル４４，４５によって発電された電力を用いて補光装置３９が発光されるため、省エネルギー効果が損なわれることを防止できる。
【００３１】
（６）  この建物２１においては、側壁２６の内側面に対する緑化基盤２９の固定金具としての貫通ボルト３１が、側壁２６の外側面に対する太陽電池パネル４４の固定金具と共用されている。このため、緑化基盤２９及び太陽電池パネル４４を固定するための部品の点数を削減することができる。
【００３２】
（７）  側壁２６を太陽電池パネル４４の設置面として利用できる。
（第２実施形態）
次に、この発明を具体化した建物の第２実施形態を説明する。なお、この第２実施形態以降の各実施形態及び変更例は、前記第１実施形態と異なる部分を中心に説明する。
【００３３】
さて、この第２実施形態においては、図７及び図８に示すように、前記第１実施形態における太陽電池パネル４４に代えて、または太陽電池パネル４４とともに、側壁２６の外側面に緑化基盤５１が設けられている。すなわち、図７（ａ）に示す建物２１においては、側壁２６の外側面全体に緑化基盤５１が設けられている。図７（ｂ）に示す建物２１においては、同一階の側壁２６の外側面に太陽電池パネル４４と緑化基盤５１とが交互に配置されている。図７（ｃ）に示す建物２１においては、例えば上層階の側壁２６の外側面に太陽電池パネル４４が配置されるとともに、下層階の側壁２６の外側面に緑化基盤５１が配置されている。
【００３４】
そして、この第２実施形態においては、図８に示すように、側壁２６の外側面に緑化基盤５１を固定する構成において、その緑化基盤５１を固定するための貫通ボルト３１等の固定金具が前記第１実施形態と同様に側壁２６の内側面に固定された緑化基盤２９と共用されている。
【００３５】
従って、この第２実施形態においても、前記第１実施形態に記載の効果とほぼ同様の効果を得ることができる。また、この第２実施形態においては、以下の効果を得ることができる。
【００３６】
（８）  側壁２６の内側面に対する緑化基盤２９の固定金具と、側壁２６の外側面に対する緑化基盤５１の固定金具とを共用しているため、部品点数を削減することができる。
（９）  側壁２６の外側面に緑化基盤５１が設けられているため、建物２１の美観を向上でき、ひいては都市の美感向上に貢献できる。また、緑化基盤５１により、建物２１に対する直射日光を遮ることができるとともに、建物２１の周囲に対する直射日光の反射を軽減できるため、緑化基盤５１を有する建物２１及びその周囲の建物の冷房負荷を軽減でき、温暖化防止の一助とすることができる。
【００３７】
（第３実施形態）
次に、この発明を具体化した建物の第３実施形態を説明する。
さて、この第３実施形態においては、図９に示すように、建物２１の中央部に壁部としての第１内壁５２が設けられるとともに、その第１内壁５２に間隔をおいて別の第２内壁５３が設けられている。両内壁５２，５３間に植栽緑化室２７が区画されている。従って、その植栽緑化室２７内において、第１内壁５２の内面には緑化基盤２９が取り付けられ、その緑化基盤２９には植物３４が植栽されている。第２内壁５３には開閉可能な窓２８が設けられ、その窓２８を介して緑化基盤２９上の植栽植物３４を見ることができるようになっている。
【００３８】
従って、この第３実施形態においては、以下の効果がある。
（１０）  建物２１の中央部に設けられた植栽緑化室２７内の植栽植物３４を、室内から窓２８を介して観賞することができる。
【００３９】
（１１）  建物２１の外壁を構成する側壁２６に窓や開口を設けた場合、その窓や開口を有効に利用できる。
（１２）  第２内壁５３に窓２８を設け、その窓２８を通して窓２８の外側（第１内壁５２側）の植栽植物３４を観賞できるため、仮に建物２１の室内スペースが狭くても、居住者は開放感を得ることができる。
【００４０】
（１３）  第２内壁５３に開口や出入り口を設けることにより、植栽緑化室２７内の植栽植物３４等のメンテナンスを植栽植物３４の裏側から簡単に行うことができる。
（第４実施形態）
次に、この発明を具体化した建物の第４実施形態を説明する。
【００４１】
さて、この第４実施形態においては、図１０に示すように、植栽緑化室２７が複数階を跨いで吹き抜け状に形成されている。植栽緑化室２７の底部には培養土５４を収容するプランタ等の容器５５が配置され、その容器５５内の培養土５４に植物３４が植栽されている。
【００４２】
従って、この第４実施形態においても、前記第１実施形態に記載の効果とほぼ同様の効果を得ることができる。また、この第４実施形態においては、以下の効果がある。
（１４）  植栽緑化室２７が吹き抜け構造になっているため、植栽緑化室２７に立木のような高い植物３４を植栽して生育させることができる。
【００４３】
（第５実施形態）
次に、この発明を具体化した建物の第５実施形態を説明する。
さて、この第５実施形態においては、図１１〜図１３に示すように、側壁２６の内側面に取り付けられた緑化基盤２９の内面に、金網等よりなる補助材５６が積層配置されている。この構成においては、図１１に示すように、プランタ３５を用いて緑化基盤２９の上端部付近に下垂性の植物３４を植栽し、その下垂性植物３４を補助材５６に這わせて下垂するように生育させることができる。
【００４４】
また、図１２に示すように、プランタ３５を用いて緑化基盤２９の下端部付近につる性の植物３４を植栽し、そのつる性植物３４を補助材５６に這わせて登攀するように生育させることができる。さらに、図１３に示すように、緑化基盤２９の上下方向の任意の位置において、補助材５６に複数の支持金具５７を掛止するとともに、それらの支持金具５７にプランタ等の容器５５を支持し、その容器５５内の培養土５４に植物３４を植栽して生育させることもできる。
【００４５】
従って、この第５実施形態においても、前記第１実施形態に記載の効果とほぼ同様の効果を得ることができる。また、この第５実施形態においては、以下の効果がある。
（１５）  緑化基盤２９の内面に金網等よりなる補助材５６が積層配置されているため、この補助材５６を用いて植栽の多様化を図ることができる。
【００４６】
（第６実施形態）
次に、この発明を具体化した建物の第６実施形態を説明する。
さて、この第６実施形態においては、図１４に示すように、緑化基盤２９が多数の小孔５８を有するパンチングボードにより構成されている。そして、緑化基盤２９の内面側から任意の小孔５８に支持金具５７を挿通支持するとともに、その支持金具５７にプランタ等の容器を支持することにより、植栽を行うようになっている。
【００４７】
従って、この第６実施形態においても、前記第１実施形態に記載の効果とほぼ同様の効果を得ることができる。さらに、この第６実施形態においては、以下の効果がある。
（１６）  緑化基盤２９がパンチングボードにより構成されているため、小孔５８に対する支持金具５７の取り付け位置を変更することにより、緑化基盤２９に対する植栽位置を任意に変更することができる。
【００４８】
（第７実施形態）
次に、この発明を具体化した建物の第７実施形態を説明する。
さて、この第７実施形態においては、図１５に示すように、導光ダクト３６の光導入口３６ａに集光手段としての集光装置５９が設けられている。この集光装置５９は、回転放物曲面よりなる相似形の第１反射ミラー５９ａと第２反射ミラー５９ｂとを、焦点５９ｃが同一点となるように対向配置して構成されている。そして、第１反射ミラー５９ａによって反射して集光された太陽光が焦点５９ｃを経た後、第２反射ミラー５９ｂによって第１反射ミラー５９ａと同一の反射角で反射されて平行光にされ、導光ダクト３６の光導入口３６ａに導入される。なお、図示しないが、集光装置５９の上方には、その集光装置５９を覆って、雨水や落ち葉等が第１反射ミラー５９ａ上に落ちることを防ぐための透明板が設けられている。
【００４９】
従って、この第７実施形態においては、以下の効果がある。
（１７）  導光ダクト３６の光導入口３６ａに集光装置５９が設けられているため、その集光装置５９により大量の太陽光を効率よく集めて導光ダクト３６内に導入することができる。従って、導光ダクト３６の数が少なくても、植栽緑化室２７内に太陽光を有効に供給できる。
【００５０】
（第８実施形態）
次に、この発明を具体化した建物の第８実施形態を説明する。
さて、この第８実施形態においては、図１６に示すように、導光ダクト３６が各パイプ状をなしている。また、その導光ダクト３６の幹管３６Ａが屈曲状に形成されて下部側がほぼ水平に形成されるとともに、その幹管３６Ａの途中に複数の枝管６０が分岐されている。そして、光導入口３６ａから導光ダクト３６の幹管３６Ａ内に導入された太陽光が、各枝管６０において分岐して複数の光導出口に導かれるようになっている。
【００５１】
従って、この第８実施形態においてにおいては、以下の効果がある。
（１８）  導光ダクト３６の幹管３６Ａから枝管６０が水平に分岐されているため、１つの光導入口３６ａから導入された太陽光を複数に分岐して、例えば同一階の複数の植栽緑化室２７導くことができる。
【００５２】
（変更例）
この発明の実施形態は、次のように変更して具体化することも可能である。
・  図１７（ａ）〜（ｉ）に示すように、導光ガイド３６ｃに対する光導出口３６ｂの位置や形状を変更すること。図１７（ａ）（ｃ）（ｄ）（ｆ）（ｇ）（ｈ）（ｉ）は、光導出口３６ｂの開口側から半球状の導光ガイド３６ｃを見たものである。図１７（ａ）は、図５に示すようなコーン状の導光筒３６ｄの光導出口３６ｂを楕円状にしたものである。図１７（ｂ）は導光筒３６ｄを先窄まり形状にしたもので、スポット的な光照射に適する。図１７（ｃ）は図１７（ｂ）の導光筒３６ｄを導光ガイド３６ｃの中心位置から偏倚させたもの、図１７（ｄ）先窄まりの導光筒３６ｄを扁平形状にしたものである。図１７（ｅ）〜（ｉ）は、導光筒３６ｄを設けることなく、導光ガイド３６ｃの先端に光導出口３６ｂを形成したもので、それらの光導出口３６ｂは、それぞれ円形，長四角形，楕円形，十字形をなしている。これらの図１７（ａ）〜（ｉ）の構成によれば、照射される光の形や径等の各種の要求に応じて適宜に選択できる。
【００５３】
・  図１８に示すように、導光ガイド３６ｃの形状を円錐形状にすること。
・  図１９（ａ）〜（ｄ）に示すように、導光ダクト３６（幹管３６Ａでもよい）の断面形状を変更すること。図１９（ａ）は長四角形、図１９（ｂ）はほぼ半円形、図１９（ｃ）は三角形、図１９（ｄ）楕円形である。これらの形状は、導光ダクト３６の配置場所等に応じて選択される。また、これらの形状を導光ダクト３６の枝管６０に具体化してもよい。
【００５４】
・  図１９（ａ）〜（ｃ）に示すように、複数の導光ガイド３６ｃを近接して並設すること。
・  図２０（ａ）（ｂ）に示すように、導光ガイド３６ｃを導光ダクト３６（幹管３６Ａ，枝管６０でもよい）と別体に形成して、導光ガイド３６ｃを導光ダクト３６に対して着脱出来きるように構成すること。図２０（ａ）（ｂ）は、導光ダクト３６の外側面にボルト７１を固定し、導光ガイド３６ｃに形成された孔３６ｇまたは凹部３６ｈをボルト７１に外嵌めしてネット７２により固定できるようにしている。このように構成すれば、必要に応じて所要の形状あるいは構造の導光ガイド３６ｃを取り付けることができる。
【００５５】
・  図２１（ａ）（ｂ）に示すように、各種の形状及び適宜の数の導光ダクト３６及び導光ガイド３６ｃを適宜に組み合わせて採用すること。
・  例えば図２２（ａ）〜（ｃ）に示すように、導光ダクト３６の幹管３６Ａから各種の方向へ枝管６０を分岐させ、各枝管６０に光導出溝３６ｓを形成すること。図２２（ａ）は複数の枝管６０を上下方向に間隔をおいて左右方向に分岐させたものである。図２２（ｂ）は、上下方向に間隔をおいて左右方向に分岐させた中継管６１からさらに下方へ向けて複数の枝管６０を平行に分岐させたものである。図２２（ｃ）は、複数の枝管６０を放射方向へ分岐させたものである。なお、枝管６０は、図２２（ｄ）（ｅ）に示すように、好適な断面形状のものが選択される。
【００５６】
・  緑化基盤２９として、前記実施形態と異なる構成のものを用いること。例えば、図２３は緑化基盤２９に複数の棚板２９ａを設け、その棚板２９ａにプランタ３５を搭載できるようにしている。あるいは、緑化基盤２９として培土の機能を有するマットを用いること。
【００５７】
・  植栽緑化室２７内を観賞するための窓２８の構造を変更すること。例えば、図２４は、複数円形の窓２８を並設したものである。
・  前記各実施形態において、最上階の植栽緑化室２７の天井壁２６ａとして透光性を有する板材により形成し、最上階の植栽緑化室２７内には太陽光が直接照射されるように構成すること。
【００５８】
・  前記各実施形態において、植栽緑化室を、建物の外壁と、その外壁の内側に設けられた内壁との間に形成し、内壁に観賞用の窓を設けること。
・  前記導光ダクト３６の補光装置３９を光導出口３６ｂとは対向しない位置に設けること。このように構成しても、前記第１実施形態のような補助光を植物３４に供給できる。また、補光装置３９の光源４２として、ＬＥＤ以外のもの、例えばエレクトロルミネッセンスや蛍光ランプを用いること。
【００５９】
（別の技術的思想）
さらに、上記実施形態により把握される請求項以外の技術的思想について、以下にそれらの効果とともに記載する。
【００６０】
（Ａ）  前記側壁の外側面に緑化基盤を設け、その外側面の緑化基盤と前記内側面の緑化基盤との固定金具を共用したことを特徴とする請求項１〜７のうちのいずれか一項に記載の建物。
【００６１】
この構成によれば、共通の固定金具を用いて、側壁の内側面及び外側面に内側緑化基盤及び外側緑化基盤を同時に固定することができる。
（Ｂ）  前記壁部を建物内の内壁により構成するとともに、前記窓を前記内壁とは別の内壁に設けたことを特徴とする請求項１〜７のうちのいずれか一項に記載の建物。
【００６２】
この構成によれば、建物の中央部に設けられた部屋内の植栽植物を、室内から窓を介して楽しむことができる。
（Ｃ）  前記導光ダクトの光導入側に集光手段を設けたことを特徴とする請求項４〜７のうちのいずれか一項に記載に記載の建物。
【００６３】
この構成によれば、集光手段により太陽光を効率よく集めて導光ダクト内に導入することができる。
（Ｄ）  植栽緑化室を、建物の外壁と、その外壁の内側に設けられた内壁との間に形成し、内壁に観賞用の窓を設けたことを特徴とする請求項１〜７のうちのいずれか一項に記載の建物。
【００６４】
この構成によれば、建物の構造を変更することなく、あるいはわずかに変更や改修を加えるのみで植栽緑化室を設けることが可能になる。
【符号の説明】
【００６５】
２１…建物、２１ａ…外壁、２４…緑化構造、２６…壁部としての側壁、２７…植栽緑化室、２８…窓、２９…内側の緑化基盤、３１…固定金具としての貫通ボルト、３３Ａ，３３Ｂ…ナット、３４…植物、３６…導光手段としての導光ダクト、３９…補光手段としての補光装置、４２…光源、４４，４５…太陽電池パネル、５１…外側の緑化基盤、５２…壁部としての第１内壁、５３…第２内壁、５９…集光手段としての集光装置。
【図１】
0005471067.tif 000002
【図２】
0005471067.tif 000003
【図３】
0005471067.tif 000004
【図４】
0005471067.tif 000005
【図５】
0005471067.tif 000006
【図６】
0005471067.tif 000007
【図７】
0005471067.tif 000008
【図８】
0005471067.tif 000009
【図９】
0005471067.tif 000010
【図１０】
0005471067.tif 000011
【図１１】
0005471067.tif 000012
【図１２】
0005471067.tif 000013
【図１３】
0005471067.tif 000014
【図１４】
0005471067.tif 000015
【図１５】
0005471067.tif 000016
【図１６】
0005471067.tif 000017
【図１７】
0005471067.tif 000018
【図１８】
0005471067.tif 000019
【図１９】
0005471067.tif 000020
【図２０】
0005471067.tif 000021
【図２１】
0005471067.tif 000022
【図２２】
0005471067.tif 000023
【図２３】
0005471067.tif 000024
【図２４】
0005471067.tif 000025